(57)【特許請求の範囲】
【請求項１】
駆動源と、
前記駆動源の駆動力により回転する回転体と、
前記回転体の回転中心から所定距離離れた位置に、当該回転体の回転軸方向と平行に立設される作用軸と、
前記回転体の回転軸方向と平行な回転軸周りに回転可能であるとともに、前記作用軸が挿通される第一溝を備える第一プレートと、
前記第一プレートの板面と重複するように配置され、前記第一プレートに対して、当該第一プレートの回転軸方向と垂直な方向に摺動可能に設けられるとともに、前記作用軸が挿通される第二溝を備える第二プレートと、
前記第一プレートとともに回転可能に設けられる第一可動物と、
前記第一可動物とともに回転可能に設けられ、前記第二プレートの摺動運動に連動して運動する第二可動物と、
を具備し、
前記第一溝は、前記作用軸が内部を移動するのに伴って前記第一プレートの回転とその回転の停止とを切り替えるものであって、
前記作用軸が内部を移動している際に前記第一プレートを回転させる第一溝部と、
前記第一溝部の一端に連接され、前記第一プレートが基準位置に対して所定角度に回転した状態において前記回転体が回転した際に前記作用軸が描く回転軌跡に沿うように形成され、前記作用軸が内部を移動している際に前記第一プレートを回転させない曲線溝部と、
を備え、
前記第二溝は、前記作用軸が内部を移動するのに伴って前記第二プレートの前記第一プレートに対する摺動とその摺動の停止とを切り替えるものであって、
前記第一溝のうち少なくとも前記第一溝部の一部の形状と同一形状であり、かつ当該一部と重複するように形成され、前記作用軸が内部を移動している際に前記第二プレートを前記第一プレートに対して摺動させない第二溝部と、
前記第二溝部の一端に前記曲線溝部の形状と同じ方向に曲がるように連接され、前記第二溝部との接続部の曲率半径が、前記曲線溝部の前記第一溝部との接続部の曲率半径よりも小さくなるように形成され、前記作用軸が内部を移動している際に前記第二プレートを前記第一プレートに対して摺動させる摺動溝部と、
を備える遊技機の可動役物装置。
【発明の詳細な説明】
【技術分野】
【０００１】
本発明は、パチンコ機、スロットマシン等の遊技機に用いられる可動役物装置の技術に関する。
【背景技術】
【０００２】
パチンコ機、スロットマシン等の遊技機においては、所定の場合に演出用の可動物を駆動させる種々の技術が公知となっている。例えば、特許文献１に記載の如くである。
【０００３】
特許文献１に記載の遊技機の可動役物装置においては、モータが回転駆動すると、クランク機構によって当該モータの駆動力が装飾部品本体（第一可動物）に伝達される。当該モータの駆動力およびバネの付勢力によって、装飾部品本体および当該装飾部品本体に対して回動可能に設けられた水平回動体（第二可動物）が一体的に前方に摺動する。装飾部品本体が所定の位置まで摺動すると、ストッパにより当該摺動運動が規制される。その後は、モータの駆動力は水平回動体に伝達され、当該水平回動体が装飾部品本体に対して水平に回動する。
【０００４】
この技術によれば、１つのモータを用いて、２つの運動を順に行うことができる。すなわち、モータを駆動させると、まず装飾部品本体および水平回動体の前方への摺動運動が行われ、当該摺動運動が終了すると、水平回動体の回動運動が行われる。
【先行技術文献】
【特許文献】
【０００５】
【特許文献１】特開２００７−２４４４０６号公報
【発明の概要】
【発明が解決しようとする課題】
【０００６】
しかしながら、特許文献１に記載の可動役物装置においては、モータ、クランク機構、装飾部品本体およびバネを一直線上に配置しているため、当該可動役物装置全体をコンパクトに構成することが困難であった。特に遊技機においては、可動役物装置を狭い空間に設ける必要があるため、特許文献１に記載の可動役物装置を遊技機に適用する際には、当該可動役物装置を配置するための空間を確保することが困難であった。
【０００７】
本発明は、上記のような問題点に鑑みてなされたものであり、その解決しようとする課題は、１つの駆動源で２つの可動物を別々に動作させる（２つの運動を順に行う）ことができ、且つコンパクトに構成することができる遊技機の可動役物装置を提供することである。
【課題を解決するための手段】
【０００８】
本発明の解決しようとする課題は以上の如くであり、次にこの課題を解決するための手段を説明する。
【０００９】
即ち、請求項１においては、駆動源と、前記駆動源の駆動力により回転する回転体と、前記回転体の回転中心から所定距離離れた位置に、当該回転体の回転軸方向と平行に立設される作用軸と、前記回転体の回転軸方向と平行な回転軸周りに回転可能であるとともに、前記作用軸が挿通される第一溝を備える第一プレートと、前記第一プレートの板面と重複するように配置され、前記第一プレートに対して、当該第一プレートの回転軸方向と垂直な方向に摺動可能に設けられるとともに、前記作用軸が挿通される第二溝を備える第二プレートと、前記第一プレートとともに回転可能に設けられる第一可動物と、前記第一可動物とともに回転可能に設けられ、前記第二プレートの摺動運動に連動して運動する第二可動物と、を具備し、前記第一溝は、前記作用軸が内部を移動するのに伴って前記第一プレートの回転とその回転の停止とを切り替えるものであって、前記作用軸が内部を移動している際に前記第一プレートを回転させる第一溝部と、前記第一溝部の一端に連接され、前記第一プレートが基準位置に対して所定角度に回転した状態において前記回転体が回転した際に前記作用軸が描く回転軌跡に沿うように形成され、前記作用軸が内部を移動している際に前記第一プレートを回転させない曲線溝部と、を備え、前記第二溝は、前記作用軸が内部を移動するのに伴って前記第二プレートの前記第一プレートに対する摺動とその摺動の停止とを切り替えるものであって、前記第一溝のうち少なくとも前記第一溝部の一部の形状と同一形状であり、かつ当該一部と重複するように形成され、前記作用軸が内部を移動している際に前記第二プレートを前記第一プレートに対して摺動させない第二溝部と、前記第二溝部の一端に前記曲線溝部の形状と同じ方向に曲がるように連接され、前記第二溝部との接続部の曲率半径が、前記曲線溝部の前記第一溝部との接続部の曲率半径よりも小さくなるように形成され、前記作用軸が内部を移動している際に前記第二プレートを前記第一プレートに対して摺動させる摺動溝部と、を備えるものである。
【発明の効果】
【００１０】
本発明の効果として、以下に示すような効果を奏する。
【００１１】
請求項１においては、１つの駆動源で２つの可動物を別々に動作させる（２つの運動を順に行う）機構を簡単に構成することができる。
また、回転体、作用軸、第一プレートおよび第二プレートを重複して配置することになり、可動役物装置をコンパクトに構成することができる。
【図面の簡単な説明】
【００１２】
【図１】可動役物装置を備える遊技機の全体的な構成を示した正面図。
【図２】同じく、遊技機の窓枠が開放された状態の構成を示した正面斜視図。
【図３】同じく、遊技盤の構成を示した正面図。
【図４】可動役物装置を示した正面図。
【図５】同じく、分解斜視図。
【図６】可動役物装置の機構の要部のみを示した分解斜視図。
【図７】作動ギヤ、第一プレートおよび第二プレート等を示した正面概略図。
【図８】作動ギヤ、第一プレートおよび第一可動物等を示した正面概略図。
【図９】作動ギヤ、第二プレートおよび摺動プレート等を示した正面概略図。
【図１０】（ａ）第一プレートおよび第二プレートの動作の様子を示した正面模式図。（ｂ）同じく、正面模式図。
【図１１】（ａ）第一プレートおよび第二プレートの動作の様子を示した正面模式図。（ｂ）同じく、正面模式図。
【図１２】第一プレートおよび第二プレートの動作の様子を示した正面模式図。
【図１３】第一プレートおよび第二プレート等の回転の様子を示した正面概略図。
【図１４】第一プレートおよび第二プレート等の回転の様子を示した正面概略図。
【図１５】第一可動物および第二可動物等の回転の様子を示した正面図。
【図１６】左連結プレートおよび右連結プレートが開く様子を示した正面概略図。
【図１７】第二プレートおよび摺動プレートが摺動する様子を示した正面概略図。
【図１８】左連結プレートおよび右連結プレートが最も開いた様子を示した正面概略図。
【図１９】第二プレートおよび摺動プレートが最も摺動した様子を示した正面概略図。
【図２０】第二可動物が開いた様子を示した正面図。
【図２１】第二可動物が開いた際の遊技盤を示した正面図。
【図２２】（ａ）本実施形態に係る第二溝の形状を示した正面模式図。（ｂ）第二溝の変形例を示した正面模式図。
【発明を実施するための形態】
【００１３】
まず、本発明の一実施形態である可動役物装置１００を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１および図２が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１７】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００１８】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１９】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２０】
次に、遊技盤５の構成について、図３を用いてさらに詳細に説明する。
【００２１】
遊技盤５には、ガイドレール１０と、図柄表示装置１１と、図柄表示開口部１２と、一般入賞口１３と、大入賞装置１４と、可変入賞装置１５と、アウト口１６と、役物１７と、可動役物装置１００と、が設けられる。
【００２２】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２３】
図柄表示装置１１は、液晶画面２０を設けて、当該液晶画面２０に図柄や数字等を変動表示可能に構成される装置である。図柄表示装置１１の液晶画面２０は、後述する図柄表示開口部１２に配置される。
【００２４】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２５】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２６】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２７】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２８】
役物１７は、その外観により遊技盤５を装飾するとともに、発光可能に構成されて遊技者の興趣を高める部材である。役物１７は、正面視で遊技領域１９の概ね中央で、遊技盤５を前後方向に貫通した開口部に配設される。役物１７の中央には、前後方向に貫通した図柄表示開口部１２が設けられる。図柄表示開口部１２には、図柄表示装置１１の液晶画面２０が配置される。
【００２９】
次に、可動役物装置１００の構成について、図３から図２１までを用いて詳細に説明する。
なお、図６から図１４および図１６から図１９においては、説明に必要のない部材の図示を適宜省略している。
【００３０】
図３から図５までに示す可動役物装置１００は、所定の場合に遊技者に視覚的な印象（インパクト）を与えるためのものである。可動役物装置１００は、正面視（図３）において液晶画面２０の右方に配置される。可動役物装置１００は、主としてモータ１１０、作動ギヤ１２０、作用軸１３０、第一プレート１４０、回転軸１５０、第一可動物１６０、第二プレート１７０、摺動プレート１８０、左連結プレート１９０、右連結プレート２００および第二可動物２１０とにより構成される。
【００３１】
図５に示す駆動源としてのモータ１１０は、板状のベース部材１１１の背面（後面）に固定される。モータ１１０の出力軸は、ベース部材１１１を貫通するように前方に向けて突設される。モータ１１０の出力軸には、ベース部材１１１の前方において出力ギヤ１１２が固定される。出力ギヤ１１２には、下方から中間ギヤ１１３が噛合される。
【００３２】
図５および図６に示す回転体としての作動ギヤ１２０は、モータ１１０の駆動力により回転するものである。作動ギヤ１２０の回転軸であるギヤ回転軸１２１は、その軸線方向を前後方向に向けられた状態でベース部材１１１に回動可能に支持される。作動ギヤ１２０は、中間ギヤ１１３に噛合される。
【００３３】
作用軸１３０は、作動ギヤ１２０の回転中心から所定距離離れた位置に、作動ギヤ１２０のギヤ回転軸１２１と平行に立設されるものである。詳細には、作用軸１３０は、その軸線方向を前後方向に向けられた状態で、その一端を作動ギヤ１２０の前面に固定され、その他端を前方に延設される。作用軸１３０は、作動ギヤ１２０の回転中心から離れた位置に固定されるが、当該作動ギヤ１２０の回転中心から作用軸１３０までの距離は任意に設定することが可能である。
【００３４】
作動ギヤ１２０は、前方からカバー部材１１４によって覆われる（図５参照）。カバー部材１１４はベース部材１１１の前面に固定される。カバー部材１１４の前面には、作用軸１３０の回転軌跡に沿う形状の案内溝１１４ａが形成される。作用軸１３０は当該案内溝１１４ａに挿通される。
【００３５】
図５から図７までに示す第一プレート１４０は、上下方向に長い略板状の部材である。第一プレート１４０は、ベース部材１１１の前方において、その板面が前後方向を向くように配置される。第一プレート１４０には、第一溝１４１および可動物案内溝１４２・１４２・・・が形成される。
【００３６】
第一溝１４１は、作用軸１３０が挿通される溝である。第一溝１４１は、第一プレート１４０の下部に、当該第一プレート１４０を前後方向に貫通するように形成される。第一溝１４１は、第一溝部１４１ａおよび曲線溝部１４１ｂを具備する。
【００３７】
第一溝部１４１ａは、直線状に形成される溝である。第一溝部１４１ａは、その長手方向が第一プレート１４０の長手方向（図５から図７までにおける上下方向）と平行になるように形成される。
【００３８】
曲線溝部１４１ｂは、所定の半径を有する円弧状に形成される溝である。曲線溝部１４１ｂは、第一溝部１４１ａの一端（下端）に連接される。曲線溝部１４１ｂは、図５から図７までにおいて、上から下に向かうにつれて左方に曲がるように形成される。曲線溝部１４１ｂの半径は、作動ギヤ１２０の回転中心から作用軸１３０までの距離（正面視における作用軸１３０の回転軌跡の半径）と同一の値になるように設定される。
【００３９】
上述の如く第一溝部１４１ａおよび曲線溝部１４１ｂを形成することにより、第一溝１４１は正面視略Ｊ字状に形成される。
【００４０】
可動物案内溝１４２・１４２・・・は、第二可動物２１０が所定の方向に運動するように案内する溝である。可動物案内溝１４２・１４２・・・は、第一プレート１４０の上部に、当該第一プレート１４０を前後方向に貫通するように形成される長孔である。可動物案内溝１４２・１４２・・・は、左右に２つ、上下に２つ並ぶように４つ形成される。左側の２つの可動物案内溝１４２・１４２は、下から上に向かうにつれて左方に延びるように傾斜して形成される。右側の２つの可動物案内溝１４２・１４２は、下から上に向かうにつれて右方に延びるように傾斜して形成される。
【００４１】
回転軸１５０は、第一プレート１４０の回転中心となるものである。回転軸１５０は、平面視コ字状の支持部材１５１を介して、第一プレート１４０の背面に固定される。回転軸１５０は、その軸線方向を前後方向に向けられた状態で、その一端を支持部材１５１の背面に固定され、その他端を後方に延設される。回転軸１５０は、正面視（図７参照）において、第一溝１４１の第一溝部１４１ａの長手方向延長線上に配置される。回転軸１５０の他端（後端）は、ベース部材１１１に回動可能に支持される。
【００４２】
図４、図５および図８に示す第一可動物１６０は、第一プレート１４０とともに回転可能に設けられるものである。第一可動物１６０は、主として内部装飾部材１６１および外部装飾部材１６２により構成される。
【００４３】
内部装飾部材１６１は、上下方向に長い部材である。内部装飾部材１６１の前面には、上下方向中途部から上部にかけて適宜装飾がなされる。内部装飾部材１６１は、第一プレート１４０の上端から下端近傍までを前方から覆うようにして、当該第一プレート１４０に固定される。
【００４４】
外部装飾部材１６２は、上下方向に長い略板状の部材である。外部装飾部材１６２の前面には、適宜模様が形成され、色彩が施される。外部装飾部材１６２は、内部装飾部材１６１の下部を前方から覆うようにして、当該内部装飾部材１６１に固定される。
【００４５】
図５、図６および図９に示す第二プレート１７０は、上下方向に長い略板状の部材である。第二プレート１７０は、第一プレート１４０の背後（後方）において、その板面が前後方向を向くように配置される。第二プレート１７０は、正面視において第一プレート１４０と重複するように配置される。第二プレート１７０は、第一プレート１４０に対して、当該第一プレート１４０の長手方向（図５、図６および図９における上下方向）に沿って摺動可能となるように支持される。第二プレート１７０には、第二溝１７１およびラック部１７２が形成される。
【００４６】
第二溝１７１は、作用軸１３０が挿通される溝である。第二溝１７１は、第二プレート１７０の下部に、当該第二プレート１７０を前後方向に貫通するように形成される。第二溝１７１は、第二溝部１７１ａおよび摺動溝部１７１ｂを具備する。
【００４７】
第二溝部１７１ａは、直線状に形成される溝である。第二溝部１７１ａは、その長手方向が第二プレート１７０の長手方向（図５、図６および図９における上下方向）と平行になるように形成される。第二溝部１７１ａの形状は、第一溝１４１の第一溝部１４１ａと同一形状となるように形成される。
【００４８】
摺動溝部１７１ｂは、直線状に形成される溝である。摺動溝部１７１ｂは、その長手方向が第二プレート１７０の長手方向（図５、図６および図９における上下方向）と垂直な方向（図５、図６および図９における左右方向）を向くように形成される。摺動溝部１７１ｂの一端（右端）は、第二溝部１７１ａの一端（下端）に連接される。この際、第二溝部１７１ａと摺動溝部１７１ｂとの接続部の曲率半径は、第一溝１４１における第一溝部１４１ａと曲線溝部１４１ｂとの接続部の曲率半径よりも小さくなるように形成される。これによって、第一溝１４１の第一溝部１４１ａと第二溝１７１の第二溝部１７１ａとを正面視において重ね合わせた場合（図９参照）、摺動溝部１７１ｂの他端（左端）は、曲線溝部１４１ｂの左端よりも上方に位置することになる。なお、図９における摺動溝部１７１ｂの他端（左端）と曲線溝部１４１ｂの左端の左右方向位置は一致するように形成される。
【００４９】
上述の如く第二溝部１７１ａおよび摺動溝部１７１ｂを形成することにより、第二溝１７１は正面視略逆Ｌ字状に形成される。
【００５０】
ラック部１７２は、第二プレート１７０の上部の左側部に形成される。ラック部１７２には、左方から駆動ギヤ１７３が噛合される。当該駆動ギヤ１７３は、第一プレート１４０の背面（後面）に回動可能に支持される。
【００５１】
図５および図９に示す摺動プレート１８０は、上下方向に長い略板状の部材である。摺動プレート１８０は、第一プレート１４０および第二プレート１７０の背後（後方）において、その板面が前後方向を向くように配置される。摺動プレート１８０は、第一プレート１４０に対して、当該第一プレート１４０の長手方向（図５および図９における上下方向）に沿って摺動可能となるように支持される。摺動プレート１８０には、ラック部１８１および可動物駆動溝１８２・１８２・・・が形成される。
【００５２】
ラック部１８１は、摺動プレート１８０の下部の左側部に形成される。ラック部１８１には、左方から従動ギヤ１８４が噛合される。当該従動ギヤ１８４は、第一プレート１４０の背面（後面）に回動可能に支持される。また、従動ギヤ１８４の前面には、当該従動ギヤ１８４と同軸上に伝達ギヤ１８３が固定される。伝達ギヤ１８３は駆動ギヤ１７３と噛合される。
【００５３】
可動物駆動溝１８２・１８２・・・は、第二可動物２１０に駆動力を伝達するための溝である。可動物駆動溝１８２・１８２・・・は、摺動プレート１８０の上部に、当該摺動プレート１８０を前後方向に貫通するように形成される長孔である。可動物駆動溝１８２・１８２・・・は、左右に２つ、上下に２つ並ぶように４つ形成される。可動物駆動溝１８２・１８２・・・は、長手方向が左右方向を向くように形成される。４つの可動物駆動溝１８２・１８２・・・は、それぞれ４つの可動物案内溝１４２・１４２・・・と正面視において一部が重複するように（図９参照）配置される。
【００５４】
摺動プレート１８０には、戻りバネ１８５が設けられる。戻りバネ１８５は引張バネであり、その一端（上端）は摺動プレート１８０の上下中途部に連結され、その他端（下端）は第一プレート１４０の上下中途部に連結される。摺動プレート１８０は、戻りバネ１８５によって常時下方に向かって付勢される。また、戻りバネ１８５が摺動プレート１８０を下方に付勢する力は、当該摺動プレート１８０、従動ギヤ１８４、伝達ギヤ１８３および駆動ギヤ１７３を介して第二プレート１７０に伝達される。すなわち、第二プレート１７０は、戻りバネ１８５によって常時上方に向かって付勢される。
【００５５】
図５および図７から図９までに示す左連結プレート１９０は、第二可動物２１０を第一プレート１４０および摺動プレート１８０に連結するものである。左連結プレート１９０は、略板状の部材であり、第一プレート１４０の前方かつ内部装飾部材１６１の背後（後方）において、その板面が前後方向を向くように配置される。左連結プレート１９０の背面（後面）には、上下方向に並ぶ２つの案内軸１９１・１９１が後方に向かって突設される。上側の案内軸１９１は、第一プレート１４０の左上側の可動物案内溝１４２および摺動プレート１８０の左上側の可動物駆動溝１８２に挿通される。下側の案内軸１９１は、第一プレート１４０の左下側の可動物案内溝１４２および摺動プレート１８０の左下側の可動物駆動溝１８２に挿通される。
【００５６】
右連結プレート２００は、第二可動物２１０を第一プレート１４０および摺動プレート１８０に連結するものである。右連結プレート２００は、略板状の部材であり、第一プレート１４０の前方かつ内部装飾部材１６１の背後（後方）において、その板面が前後方向を向くように配置される。また、右連結プレート２００は、左連結プレート１９０と左右方向に並べて配置される。右連結プレート２００の背面（後面）には、上下方向に並ぶ２つの案内軸２０１・２０１が後方に向かって突設される。上側の案内軸２０１は、第一プレート１４０の右上側の可動物案内溝１４２および摺動プレート１８０の右上側の可動物駆動溝１８２に挿通される。下側の案内軸２０１は、第一プレート１４０の右下側の可動物案内溝１４２および摺動プレート１８０の右下側の可動物駆動溝１８２に挿通される。
【００５７】
図４、図５および図８に示す第二可動物２１０は、第一可動物１６０とともに回転可能に設けられ、第二プレート１７０の摺動運動に連動して運動するものである。第二可動物２１０は、主として左可動物２１１および右可動物２１２により構成される。
【００５８】
左可動物２１１および右可動物２１２は、上下方向に長い部材である。左可動物２１１および右可動物２１２の前面には、適宜模様が形成される。左可動物２１１および右可動物２１２は、左右に並べて外部装飾部材１６２の上方に配置され、内部装飾部材１６１の上部を前方から覆うように配置される。
左可動物２１１の背面（後面）は、左連結プレート１９０の前面に固定される。
右可動物２１２の背面（後面）は、右連結プレート２００の前面に固定される。
【００５９】
上述の如く構成された可動役物装置１００において、図５および図６に示すように、第二プレート１７０の第二溝１７１の内部および第一プレート１４０の第一溝１４１の内部には後方から作用軸１３０が挿通される。この状態でモータ１１０の駆動力により作動ギヤ１２０を回転させることで、第一プレート１４０および第二プレート１７０を回転軸１５０周りに回転させ、また、第二プレート１７０を第一プレート１４０に対して摺動させることができる。
なお、第一溝１４１は、作用軸１３０が内部を移動するのに伴って第一プレート１４０の回転とその回転の停止とを切り替えることができる。また、第二溝１７１は、作用軸１３０が内部を移動するのに伴って第二プレート１７０の第一プレート１４０に対する摺動とその摺動の停止とを切り替えることができる。
【００６０】
以下では、図１０から図１２までの模式図を用いて、作用軸１３０の回転による第一プレート１４０および第二プレート１７０の動作について説明する。
【００６１】
なお、図中の点Ｇは作動ギヤ１２０（図６から図９参照）の回転中心を、図中の一点鎖線Ｌは作用軸１３０の回転軌跡を、それぞれ示している。作用軸１３０は作動ギヤ１２０に固定されているため、回転軌跡Ｌは、回転中心Ｇを中心とする円形となる。
【００６２】
図１０（ａ）に示すように、第一プレート１４０および第二プレート１７０の長手方向が上下方向を向いている場合、戻りバネ１８５（図９参照）の付勢力によって第二プレート１７０は第一プレート１４０に対して最も上方に摺動した状態に保持される。この場合、第一溝１４１の第一溝部１４１ａおよび第二溝１７１の第二溝部１７１ａは完全に重なるように配置される。この場合、作用軸１３０は、第一溝１４１における第一溝部１４１ａと曲線溝部１４１ｂとの接続部、および第二溝１７１における第二溝部１７１ａと摺動溝部１７１ｂとの接続部の近傍に位置している。
なお、この状態における第一プレート１４０の回転軸１５０周りの回転位置を「基準位置」と規定する。
【００６３】
図１０（ａ）に示す状態から、モータ１１０を駆動させ、作動ギヤ１２０を正面視時計回りに回転させると（図５等参照）、作用軸１３０は回転軌跡Ｌに沿って正面視時計回りに回転する。
【００６４】
図１０（ｂ）に示すように、作用軸１３０は、第一溝部１４１ａおよび第二溝部１７１ａを右方に押しながら回転する。このため、第一プレート１４０および第二プレート１７０は回転軸１５０を中心として正面視反時計回りに回転する。
【００６５】
図１１（ａ）に示すように、第一プレート１４０および第二プレート１７０が基準位置に対して所定角度（本実施形態においては、約４０度）に回転すると、正面視における曲線溝部１４１ｂの形状と作用軸１３０の回転軌跡Ｌとが一致する。
【００６６】
図１１（ｂ）に示すように、図１１（ａ）に示す状態からさらに作用軸１３０を回転させると、当該作用軸１３０の回転軌跡Ｌと曲線溝部１４１ｂとが一致しているため、作用軸１３０は第一プレート１４０をいずれかの方向に押すことなく、当該曲線溝部１４１ｂ内を移動する。したがって、第一プレート１４０は回転することがない。
一方、作用軸１３０は摺動溝部１７１ｂを右下方に押しながら回転する。このため、第二プレート１７０は第一プレート１４０に対して下方（右下方）に摺動する。
このように、図１１（ｂ）に示す状態においては、第一プレート１４０を回転させることなく、第二プレート１７０のみを摺動させることができる。
【００６７】
図１２に示すように、作用軸１３０が曲線溝部１４１ｂの下端に位置するまで回転した場合、当該曲線溝部１４１ｂの下端と摺動溝部１７１ｂの下端とが一致し、第二プレート１７０の摺動運動が終了する。
【００６８】
以上の如く、作用軸１３０を正面視時計回りに回転させることで、（１）第一プレート１４０および第二プレート１７０を反時計回りに回転させる運動、（２）第一プレート１４０の回転を所定角度において止めた状態で、第二プレート１７０を第一プレート１４０に対して下方（右下方）に摺動させる運動、の２つの運動を順に行うことができる。
【００６９】
なお、図１２に示す状態において、モータ１１０（図５参照）を逆回転させて作用軸１３０を上記と逆方向（正面視反時計回り）に回転させることで、図１０から図１２までに示した運動と逆の運動を行うことができる。
【００７０】
すなわち、作用軸１３０を正面視反時計回りに回転させることで、（１）第一プレート１４０の回転を所定角度において止めた状態で、第二プレート１７０を第一プレート１４０に対して上方（左上方）に摺動させる運動、（２）第一プレート１４０および第二プレート１７０を反時計回りに回転させる運動、の２つの運動を順に行うことができる。
【００７１】
以下では、図４および図１０から図２１までを用いて、上述の如く作用軸１３０を回転させて第一プレート１４０および第二プレート１７０を運動させた場合（図１０から図１２までを参照）の可動役物装置１００全体の様子について説明する。
【００７２】
第一プレート１４０が基準位置（図１０（ａ）参照）にある場合、第二可動物２１０は図４に示すようにその長手方向を上下方向に向けた状態に保持される。
【００７３】
作用軸１３０を回転させ、図１０（ｂ）に示すように第一プレート１４０および第二プレート１７０を回転させると、図１３に示すように、その他の部材（左連結プレート１９０および右連結プレート２００等）も回転軸１５０を中心として反時計回りに回転する。
【００７４】
作用軸１３０を図１１（ａ）に示す位置まで回転させると、第一プレート１４０、第一可動物１６０および第二可動物２１０等は図１４および図１５に示すように左方に傾いた状態になる。この状態においては、第二可動物２１０が第一可動物１６０に対して摺動することはない。
【００７５】
さらに作用軸１３０を回転させると、図１１（ｂ）、図１６および図１７に示すように、第一プレート１４０は回転することなく、第二プレート１７０のみが下方に摺動する。
【００７６】
図１７に示すように、第二プレート１７０が下方に摺動すると、駆動ギヤ１７３、伝達ギヤ１８３および従動ギヤ１８４を介して摺動プレート１８０がその長手方向上方（図１７における左上方）に摺動される。
【００７７】
摺動プレート１８０が上方に摺動すると、当該摺動プレート１８０の可動物駆動溝１８２・１８２・・・に挿通された左連結プレート１９０の案内軸１９１・１９１および右連結プレート２００の案内軸２０１・２０１が上方（左上方）に押し上げられる。この際、当該案内軸１９１・１９１および案内軸２０１・２０１は第一プレート１４０に形成された可動物案内溝１４２・１４２・・・に案内されているため、左連結プレート１９０および右連結プレート２００は、上方（左上方）に移動するにつれて第一プレート１４０の左右外側へと開くように摺動する（図１６参照）。
【００７８】
作用軸１３０を図１２に示す状態まで回転させると、図１８および図１９に示すように、摺動プレート１８０は最も上方（左上方）まで摺動する。この際、左連結プレート１９０および右連結プレート２００は最も上方（左上方）まで摺動し、かつ最も第一プレート１４０の左右外側へと開いた状態になる。したがって、図２０に示すように、当該左連結プレート１９０および右連結プレート２００に固定されている左可動物２１１および右可動物２１２も、第一可動物１６０に対して上方（左上方）に摺動し、かつ当該第一可動物１６０の左右外側へと開いた状態になる。
【００７９】
この場合、図２１に示すように、遊技盤５上では、可動役物装置１００が液晶画面２０と重複する位置まで左方に傾斜し、かつ第二可動物２１０が左右に開いた状態となる。これによって、遊技者に視覚的な印象を与えることができる。
【００８０】
なお、図２０に示す状態において、モータ１１０（図５参照）を逆回転させて作用軸１３０を上記と逆方向（正面視反時計回り）に回転させることで、図１３から図２０までに示した運動と逆の運動を行うことができる。
【００８１】
すなわち、作用軸１３０を正面視反時計回りに回転させると、まず第一可動物１６０および第二可動物２１０を左方に傾けたまま左右に開いた第二可動物２１０（左可動物２１１および右可動物２１２）を閉じ、その後、第一可動物１６０および第二可動物２１０を回転軸１５０を中心として正面視時計回りに回転させ、図３および図４に示す状態に戻すことができる。
【００８２】
以上の如く、本実施形態に係る遊技機１の可動役物装置１００は、
モータ１１０（駆動源）と、
モータ１１０の駆動力により回転する作動ギヤ１２０（回転体）と、
作動ギヤ１２０の回転中心Ｇから所定距離離れた位置に、ギヤ回転軸１２１（作動ギヤ１２０の回転軸）方向と平行に立設される作用軸１３０と、
ギヤ回転軸１２１方向と平行な回転軸１５０周りに回転可能であるとともに、作用軸１３０が挿通される第一溝１４１を備える第一プレート１４０と、
第一プレート１４０の板面と重複するように配置され、第一プレート１４０に対して、当該第一プレート１４０の回転軸１５０方向と垂直な方向に摺動可能に設けられるとともに、作用軸１３０が挿通される第二溝１７１を備える第二プレート１７０と、
第一プレート１４０とともに回転可能に設けられる第一可動物１６０と、
第一可動物１６０とともに回転可能に設けられ、第二プレート１７０の摺動運動に連動して運動する第二可動物２１０と、
を具備し、
第一溝１４１は、作用軸１３０が内部を移動するのに伴って第一プレート１４０の回転とその回転の停止とを切り替えるものであって、
作用軸１３０が内部を移動している際に第一プレート１４０を回転させる第一溝部１４１ａと、
第一溝部１４１ａの一端に連接され、第一プレート１４０が基準位置に対して所定角度に回転した状態において作動ギヤ１２０が回転した際に作用軸１３０が描く回転軌跡Ｌに沿うように形成され、作用軸１３０が内部を移動している際に第一プレート１４０を回転させない曲線溝部１４１ｂと、
を備え、
第二溝１７１は、作用軸１３０が内部を移動するのに伴って第二プレート１７０の第一プレート１４０に対する摺動とその摺動の停止とを切り替えるものであって、
第一溝部１４１ａの形状と同一形状であり、かつ第一溝部１４１ａと重複するように形成され、作用軸１３０が内部を移動している際に第二プレート１７０を第一プレート１４０に対して摺動させない第二溝部１７１ａと、
第二溝部１７１ａの一端に曲線溝部１４１ｂの形状と同じ方向に曲がるように連接され、第二溝部１７１ａとの接続部の曲率半径が、曲線溝部１４１ｂの第一溝部１４１ａとの接続部の曲率半径よりも小さくなるように形成され、作用軸１３０が内部を移動している際に第二プレート１７０を第一プレート１４０に対して摺動させる摺動溝部１７１ｂと、
を備えるものである。
【００８３】
このように構成することにより、１つの可動物（第一可動物１６０）および当該第一可動物１６０に設けられた別の可動物（第二可動物２１０）を動作させる可動役物装置１００において、１つのモータ１１０で、一方の可動物を動作させて停止させた後に、他方の可動物を動作させることができる。
また、作動ギヤ１２０、作用軸１３０、第一プレート１４０および第二プレート１７０を重複して配置することになり、可動役物装置１００をコンパクトに構成することができる。したがって、狭い空間に可動役物装置１００を配置し易くなり、ひいては遊技機１に可動役物装置１００を容易に適用することができる。
さらに、１つのモータ１１０で２つの可動物（第一可動物１６０および第二可動物２１０）を別々に動作させる（２つの運動を順に行う）機構を簡単に構成することができる。より詳細には、モータ１１０により回転する作用軸１３０と、所定の溝を形成した２つのプレート（第一プレート１４０および第二プレート１７０）と、により可動役物装置１００の動作機構を構成することができる。したがって、複雑な機構（クランク機構等）を要することがなく、簡単に構成することができる。
【００８４】
なお、本実施形態においては、駆動源としてモータ１１０を用いるものとしたが、その他作動ギヤ１２０を回転させることができる駆動源（例えば、エアシリンダ等）であっても良い。
また、本実施形態においては、回転体として作動ギヤ１２０を用いたが、ギヤに限らず、作用軸１３０を所定の回転中心周りに回転させることができる部材（例えば、ギヤが形成されていない平板等）であれば良い。
また、第一プレート１４０と第二プレート１７０の前後方向の配置順は本実施形態に限定しない。
また、本実施形態においては、第一溝１４１は貫通孔であるものとして説明したが、第一プレート１４０の背面（後面）に、当該第一プレート１４０を貫通することなく作用軸１３０を案内する溝を形成したものであっても良い。
また、本実施形態においては、第一溝部１４１ａは直線状に形成されるものとしたが、当該第一溝部１４１ａの形状は、曲線状等、作用軸１３０が内部を移動することができる形状であって、当該作用軸１３０が内部を移動するのに伴って第一プレート１４０を回転させることが可能な形状であれば、どのような形状であっても良い。
また、第一可動物１６０および第二可動物２１０の形状は本実施形態のものに限定するものではない。
また、本実施形態においては、第二可動物２１０は上方に摺動しながら左右に開くものとしたが、第二可動物２１０の運動はこれに限るものではない。すなわち、第二プレート１７０の摺動運動に連動して運動するもの（例えば、所定の回転軸周りに回転運動するもの等）であれば良い。
【００８５】
また、本実施形態においては、回転軸１５０は、正面視において第一溝１４１の第一溝部１４１ａの長手方向延長線上に配置されるものとしたが、回転軸１５０の配置はこれに限るものではない。
また、本実施形態においては、摺動溝部１７１ｂは、その長手方向が第二プレート１７０の長手方向と垂直な方向、すなわち第二溝部１７１ａと垂直な方向を向くように（第二溝部１７１ａと摺動溝部１７１ｂとがなす角が９０度になるように）形成するものとしたが、本発明はこれに限るものではない。すなわち、摺動溝部１７１ｂは、第二溝部１７１ａの下端に曲線溝部１４１ｂの形状と同じ方向に曲がるように連接され、第二溝部１７１ａとの接続部の曲率半径が、曲線溝部１４１ｂの第一溝部１４１ａとの接続部の曲率半径よりも小さくなるように形成されていれば、その長手方向の向きを限定するものではない。なお、この場合、第二プレート１７０を円滑に摺動させるため、第二溝部１７１ａと摺動溝部１７１ｂとがなす角は９０度以上であることが望ましい。
また、本実施形態においては、第二溝１７１の摺動溝部１７１ｂは直線状に形成されるものとしたが、本発明はこれに限るものではなく、曲線状や折れ線状に形成することも可能である。
また、本実施形態においては、作用軸１３０によって第一プレート１４０および第二プレート１７０の２つのプレートを動作させるものとしたが、これに限らず３つ以上のプレートを作用軸１３０により動作させる構成であっても良い。
【００８６】
また、本実施形態においては、図２２（ａ）に示すように、第二溝部１７１ａの形状は第一溝部１４１ａの形状と同一形状（直線状）となるように形成するものとしたが、本発明はこれに限るものではない。
すなわち、図２２（ｂ）に示すように、第二溝部１７１ａの形状は、第一溝１４１のうち少なくとも第一溝部１４１ａを含む部分の形状（より詳細には第一溝部１４１ａの全部および曲線溝部１４１ｂのうち第一溝部１４１ａ側の一部からなる形状）と同一形状であり、かつ第一溝部１４１ａおよび曲線溝部１４１ｂと重複するように形成されるものであっても良い。
このように構成した第二溝１７１と第一溝１４１とを比較すると、第二溝１７１は、第一溝１４１の直線部分（第一溝部１４１ａ）から曲線部分（曲線溝部１４１ｂ）の中途部までは、第一溝１４１と同一の形状であり、その後、第一溝１４１の曲線溝部１４１ｂの形状と同じ方向に、当該曲線溝部１４１ｂよりも急激に曲がるような形状を有している。
このような第一溝１４１および第二溝１７１を有する可動役物装置１００において、作用軸１３０を回転させた場合、まず第一可動物１６０および第二可動物２１０が共に回転し、その後いずれも一旦停止し、一定時間経過後に第二可動物２１０のみが摺動運動する。このように、第二溝１７１の形状を任意に変更することで、可動役物装置１００の動作態様を変更することができる。
【００８７】
なお、第二溝部１７１ａの形状を第一溝部１４１ａの一部（具体的には、曲線溝部１４１ｂと反対側の端部から中途部まで）と同一形状とし、当該第二溝部１７１ａの一端（下端）に摺動溝部１７１ｂを連接する構成とすることも可能である。
このような第一溝１４１および第二溝１７１を有する可動役物装置１００において、作用軸１３０を回転させた場合、まず第一可動物１６０および第二可動物２１０が共に回転し、第一可動物１６０が回転している最中に第二可動物２１０が摺動運動を開始する。このように、第二溝１７１の形状を任意に変更することで、可動役物装置１００の動作態様を変更することができる。
【符号の説明】
【００８８】
１：遊技機，１００：可動役物装置，１１０：モータ（駆動源），１２０：作動ギヤ（回転体），１３０：作用軸，１４０：第一プレート，１４１：第一溝，１４１ａ：第一溝部，１４１ｂ：曲線溝部，１５０：回転軸，１６０：第一可動物，１７０：第二プレート，１７１：第二溝，１７１ａ：第二溝部，１７１ｂ：摺動溝部，２１０：第二可動物
【要約】
【課題】コンパクトに構成することができる遊技機の可動役物装置を提供する。
【解決手段】作動ギヤ１２０に立設される作用軸１３０と、回転軸１５０周りに回転可能であるとともに、作用軸１３０が挿通される第一溝１４１を備える第一プレート１４０と、第一プレート１４０に対して摺動可能に設けられるとともに、作用軸１３０が挿通される第二溝１７１を備える第二プレート１７０と、を具備し、第一溝１４１は、直線状に形成される第一溝部１４１ａと、作用軸１３０が描く回転軌跡Ｌに沿うように形成される曲線溝部１４１ｂと、を備え、第二溝１７１は、第一溝部１４１ａの一部の形状と同一形状に形成される第二溝部１７１ａと、第二溝部１７１ａとの接続部の曲率半径が、曲線溝部１４１ｂの第一溝部１４１ａとの接続部の曲率半径よりも小さくなるように形成される摺動溝部１７１ｂと、を備えた。
【選択図】図６【図１】
0005505554.tif 000002
【図２】
0005505554.tif 000003
【図３】
0005505554.tif 000004
【図４】
0005505554.tif 000005
【図５】
0005505554.tif 000006
【図６】
0005505554.tif 000007
【図７】
0005505554.tif 000008
【図８】
0005505554.tif 000009
【図９】
0005505554.tif 000010
【図１０】
0005505554.tif 000011
【図１１】
0005505554.tif 000012
【図１２】
0005505554.tif 000013
【図１３】
0005505554.tif 000014
【図１４】
0005505554.tif 000015
【図１５】
0005505554.tif 000016
【図１６】
0005505554.tif 000017
【図１７】
0005505554.tif 000018
【図１８】
0005505554.tif 000019
【図１９】
0005505554.tif 000020
【図２０】
0005505554.tif 000021
【図２１】
0005505554.tif 000022
【図２２】
0005505554.tif 000023